(57)【要約】【課題】ハウジング内へのフィルタの交換作業を容易に行うことができるとともに、フィルタをハウジング内の所定位置に気密状態で正確に位置決め保持することができるエアクリーナを提供する。【解決手段】両端に開口を有する筒状のフィルタ１７をハウジング１１内に着脱可能に収容する。ハウジング１１は、周壁にフィルタ出し入れ用の開口１２ａを形成したハウジング本体１２と、そのハウジング本体１２の開口１２ａを開閉可能な蓋体１３とにより構成する。フィルタ１７は、濾過機能を有するエレメント１８と、そのエレメント１８の外周に気密状に巻回されたシール材１９とにより構成する。シール材１９をその外周面においてハウジング本体１２の内周面に形成された環状のシール受け面２６に気密状に支持させる。シール材１９の両側面をハウジング本体１２の内周面及び蓋体１３の内面側に形成された規制面２７，３１ａにより位置規制する。【選択図】図２
2008261239.tif 000002
【特許請求の範囲】
【請求項１】
両端に通気口を有する筒状のフィルタをハウジング内に着脱可能に収容して、前記ハウジングの導入口から導入されたエアが、フィルタの一端側の第１通気口から同フィルタ内に流入されて濾過された後に、フィルタの他端側の第２通気口からハウジングの導出口を介してハウジング外に導出されるようにしたエアクリーナにおいて、
前記ハウジングを、周壁にフィルタ出し入れ用の開口を形成したハウジング本体と、そのハウジング本体の開口を開閉可能な蓋体とにより構成するとともに、前記フィルタを、濾過機能を有するエレメントと、そのエレメントの外周に気密状に巻回された環状のシール材とにより構成し、
ハウジングに対するフィルタの装着状態において前記シール材をその外周面においてハウジング本体の内周面に形成された環状のシール受け面に気密状に支持させるとともに、そのシール材の両側面を前記ハウジング本体の内周面及び蓋体の内面側に形成された規制面により位置規制したことを特徴とするエアクリーナ。
【請求項２】
前記ハウジング本体及び蓋体の内面に、前記フィルタのエレメントの外周面を支持するための突部を設けたことを特徴とする請求項１に記載のエアクリーナ。
【請求項３】
前記ハウジング本体の規制面と前記突部との間に、前記シール材を嵌合するための隙間を形成したことを特徴とする請求項２に記載のエアクリーナ。
【請求項４】
前記蓋体の規制面を、その蓋体に形成されたフランジによって構成したことを特徴とする請求項１〜３のうちのいずれか一項に記載のエアクリーナ。
【請求項５】
前記蓋体のフランジを突部と連接して形成したことを特徴とする請求項２〜４のうちのいずれか一項に記載のエアクリーナ。
【請求項６】
前記シール材を、剛性を有する芯材と、その芯材によって内周面側を保持された柔軟弾性材よりなるシール部材とにより構成したことを特徴とする請求項１〜５のうちのいずれか一項に記載のエアクリーナ。
【発明の詳細な説明】
【技術分野】
【０００１】
この発明は、車両用エンジン等の内燃機関の吸気側に接続されるエアクリーナに関するものである。
【背景技術】
【０００２】
従来、この種のエアクリーナとしては、例えば特許文献１及び特許文献２に開示されるように、両端に通気口を有する筒状のハニカム型等のフィルタをハウジング内に着脱可能に収容した構成が知られている。これらのエアクリーナにおいては、ハウジングの導入口から導入されたエアが、フィルタの一端側の通気口から同フィルタ内に流入されて濾過された後に、フィルタの他端側の通気口からハウジングの導出口を介してハウジング外に導出されて、内燃機関の吸入側に供給されるように構成されている。
【０００３】
この場合、特許文献１に記載のエアクリーナにおいては、フィルタを出し入れするために、ハウジングがその軸線方向と直交する面において分割されている。このため、ハウジングは、流入側ハウジング部と流出側ハウジング部とにより構成され、それらの両ハウジング部は開口端部において着脱可能に組み付けられている。筒状をなすフィルタの両端外周縁には環状のエレメントガイドが嵌着されている。一端側のエレメントガイドのフランジ部には環状のシール材が取り付けられ、ハウジングに対するフィルタの装着状態で、このシール材が流入側ハウジング部と流出側ハウジング部との開口端部間に挟持される。他端側のエレメントガイドとハウジング内面との間に位置するように、ハウジングの内面には板バネが配置され、ハウジングに対するフィルタの組み付け状態で、この板バネの弾性力によりフィルタがハウジング内に保持される。
【０００４】
また、特許文献２に記載のエアクリーナにおいては、ハウジングの周壁にフィルタを出し入れするための開口が形成されている。筒状のフィルタの一端外周縁には環状の枠部材が突設され、その枠部材の先端部にはシール材が取り付けられている。フィルタの他端外周縁には、断面Ｌ形状の環状のバンドが取り付けられている。このバンドはそのフィルタのエアが通過する通気口を塞ぐように取り付けられている。そして、ハウジングの一端側の内周面には、フィルタ上のシール材の側面に当接可能な当接面が形成されている。ハウジングの他端側の内周面には、前記開口側からハウジング奥部に向かって当接面側へ次第に近接するように傾斜した傾斜カム面が形成されている。さらにフィルタの外側には、フィルタのハウジングに対する装着状態においてハウジングの開口を塞いでハウジングの周壁の一部を構成するカバーが取付けられている。
【０００５】
そして、フィルタをハウジングの開口からハウジング内に挿入したとき、フィルタ上のバンドがハウジング内の傾斜カム面に係合して、そのカム作用によりフィルタが当接面側に向かって軸線方向に移動される。この移動により、フィルタ上のシール材の側面がハウジング内の当接面に当接されて、フィルタがハウジング内の所定位置に位置決めされる。それとともに、シール材の外周面がハウジングの内周面に圧接されて、フィルタがハウジング内に気密状態で支持される。
【特許文献１】実公平２−３１１３１号公報
【特許文献２】特表２００５−５２４７９７号公報
【発明の開示】
【発明が解決しようとする課題】
【０００６】
ところが、この従来のエアクリーナにおいては、次のような問題があった。
まず、特許文献１に記載のエアクリーナでは、ハウジングが軸線方向に沿って流入側ハウジング部と流出側ハウジング部とに分割して構成されている。このため、ハウジング内のフィルタを脱着交換する場合に、エア導入側ハウジング部の導入口及びエア導出側ハウジング部の導出口にダクトがそれぞれ接続された状態にある両ハウジング部を離間させて、フィルタ装着側のハウジング部の開口の周囲を大きく開放する必要がある。よって、フィルタ脱着のために両ハウジング部を強引に動かす必要があって、ハウジングに対するフィルタの交換作業が困難であるという問題があった。
【０００７】
また、特許文献２に記載のエアクリーナでは、環状のバンドによってフィルタの通気口の外周部が塞がれているため、フィルタの通過面積が減少するとともに、エアの流れに乱れが生じて、濾過機能が低下するという問題があった。
【０００８】
さらに、特許文献２に記載のエアクリーナでは、バンドとハウジング内の傾斜カム面との係合に基づくカム作用よって、フィルタ全体がハウジング内で挟持されるように構成されている。このため、フィルタに大きな外部荷重が作用するおそれがあり、このような場合にはフィルタに圧潰や撓み等の変形が生じやすい。そして、フィルタに変形が生じると、濾過機能が低下するおそれがあるばかりでなく、フィルタをハウジング内の所定位置に正確に位置決め保持することが困難である。
【０００９】
さらには、特許文献２においては、フィルタに、ハウジングの一部を構成するカバーが取付けられているため、消耗品であるフィルタが高価になり、メンテナンス上の不利を避けることができない。
【００１０】
この発明は、このような従来の技術に存在する問題点に着目してなされたものである。その目的は、ハウジング内へのフィルタの交換作業を容易に行うことができるとともに、フィルタをハウジング内の所定位置に気密状態で正確に位置決め保持することができて、高い濾過機能を得ることができ、しかも費用負担が少なくて済むエアクリーナを提供することにある。
【課題を解決するための手段】
【００１１】
上記の目的を達成するために、この発明は、両端に通気口を有する筒状のフィルタをハウジング内に着脱可能に収容して、前記ハウジングの導入口から導入されたエアが、フィルタの一端側の第１通気口から同フィルタ内に流入されて濾過された後に、フィルタの他端側の第２通気口からハウジングの導出口を介してハウジング外に導出されるようにしたエアクリーナにおいて、前記ハウジングを、周壁にフィルタ出し入れ用の開口を形成したハウジング本体と、そのハウジング本体の開口を開閉可能な蓋体とにより構成するとともに、前記フィルタを、濾過機能を有するエレメントと、そのエレメントの外周に気密状に巻回された環状のシール材とにより構成し、ハウジングに対するフィルタの装着状態において前記シール材をその外周面においてハウジング本体の内周面に形成された環状のシール受け面に気密状に支持させるとともに、そのシール材の両側面を前記ハウジング本体の内周面及び蓋体の内面側に形成された規制面により位置規制したことを特徴としている。
【００１２】
従って、ハウジング内のフィルタを脱着交換する場合には、ハウジング本体の開口上の蓋体を開放させて、その開口を通してハウジング本体内へのフィルタの交換作業を容易に行うことができる。また、ハウジング本体内にフィルタを取り付けて、ハウジング本体の開口を蓋体により閉鎖すると、フィルタ上のシール材の外周面がハウジング本体内のシール受け面に圧接されるとともに、シール材の両側面がハウジング本体及び蓋体内の規制面に当接して位置規制される。よって、フィルタをその一端側においてハウジング内の所定位置に気密状態で正確に位置決め保持することができる。さらに、フィルタの両端部にその両端開口を塞ぐような部材が存在していないため、ハウジングに対するフィルタの取付状態でエア通過面積が減少したり、エアの流れに乱れが生じたりすることを抑制することもできる。また、ハウジング本体の開口を塞ぐ蓋体はフィルタとは別に設けられているため、フィルタが高価になることを避けることができる。
【００１３】
また、前記の構成において、前記ハウジング本体及び蓋体の内面に、前記フィルタのエレメントの外周面を支持するための突部を設けるとよい。このように構成した場合には、ハウジング本体及び蓋体内の突部により、フィルタを外周面側からハウジング内の所定位置に安定して保持することができる。
【００１４】
さらに、前記の構成において、前記ハウジング本体の規制面と前記突部との間に、前記シール材を嵌合するための隙間を形成するとよい。このように構成した場合には、ハウジング本体の開口が形成されていない側の周壁部分において、シール材が規制面と突部との間の隙間に嵌合されることによって位置規制される。よって、フィルタをハウジング内の所定位置に一層正確に位置決め保持することができる。
【００１５】
さらに、前記の構成において、前記蓋体の規制面を、その蓋体に形成されたフランジによって構成するとよい。このように構成した場合には、ハウジング本体の開口を蓋体により閉鎖したとき、フランジがハウジング本体内の規制面と対向配置されて、それらの間でフィルタ上のシール材の両側面を位置規制することができる。
【００１６】
さらに、前記の構成において、前記蓋体のフランジを突部と連接して形成するとよい。このように構成した場合には、フランジを突部との連接形成によって補強することができる。
【００１７】
さらに、前記の構成において、前記シール材を、剛性を有する芯材と、その芯材によって内周面側を保持された柔軟弾性材よりなるシール部材とにより構成するとよい。このように構成した場合には、ハウジングに対するフィルタの取付状態で、シール部材が内周面側、すなわちエレメント側に弾性変形することを防止できる。よって、シール受け面とシール材との間のシール性を確保できるとともに、フィルタのエレメントが押圧変形されることを抑制することができる。
【発明の効果】
【００１８】
以上のように、この発明によれば、ハウジング内へのフィルタの交換作業を容易に行うことができるとともに、フィルタをハウジング内の所定位置に気密状態で正確に位置決め保持することができ、しかも、フィルタ交換等にともなう費用負担を軽減できる。
【発明を実施するための最良の形態】
【００１９】
以下に、この発明の一実施形態を、図面に基づいて説明する。
図１〜図３、図５及び図６に示すように、この実施形態のエアクリーナのハウジング１１は、周壁にフィルタ出し入れ用の開口１２ａを形成したほぼ円筒状のハウジング本体１２と、そのハウジング本体１２の開口１２ａに開閉可能に取り付けられたほぼ半円筒状の蓋体１３とから構成されている。ハウジング本体１２の一つの側壁には、外気に連通されてハウジング１１内にエアを導入するための導入口１４が突出形成されている。この導入口１４は大気に開放される。前記導入口１４の反対側において、ハウジング本体１２の他の側壁には、ハウジング１１内からエアを導出するための導出口１５が突出形成されている。この導出口１５は車両用エンジン等の内燃機関の吸気側に接続され、この導出口１５からのエアが内燃機関に吸入される。ハウジング１１内には、導入口１４から導出口１５に向かって図２の横方向に延びるエア流路１６が形成されている。
【００２０】
図２及び図３に示すように、前記ハウジング１１のエア流路１６内には、円筒状のフィルタ１７がその軸線を前記エア流路１６のエア流通方向に沿わせた状態で着脱可能に収容されている。このフィルタ１７は、ハウジング本体１２の開口１２ａを介してハウジング本体１２の内外を出し入れされる。
【００２１】
このフィルタ１７は、濾過機能を有するエレメント１８と、そのエレメント１８の前記導出口１５と対応する側の端部外周に気密状に巻回して接着固定された環状のシール材１９とから構成されている。エレメント１８は、平板状濾材２０ａと波形状濾材２０ｂとからなる積層材２０を渦巻状に巻回して、全体として円筒状のハニカム構造をなすように形成されている。そして、渦巻状に配置された積層材２０の平板状濾材２０ａ間には、波形状濾材２０ｂにより複数のエア通路２１が区画形成されている。
【００２２】
図２及び図３に示すように、前記エア通路２１のうちで、１つおきに隣接する第１エア通路２１ａについては、前記導入口１４と対応する導入側端部が開口されるとともに、導出口１５と対応する導出側端部が封止材２２によりに封止されている。これに対して、残りの第２エア通路２１ｂについては、導入側端部が封止材２３により封止されるとともに、導出側端部が開口されている。この構成により、図２及び図３に示すように、エレメント１８の導入側端部には第１通気口１８ａが形成されるとともに、導出側端部には第２通気口１８ｂが形成されている。そして、図２に矢印で示すように、前記導入口１４からハウジング１１内に導入されたエアは、エレメント１８の第１通気口１８ａから各第１エア通路２１ａに導入されて、平板状濾材２０ａ又は波形状濾材２０ｂを通過することにより濾過される。その後、エアは、各第２エア通路２１ｂを介してエレメント１８の第２通気口１８ｂから導出され、さらに導出口１５を介してハウジング１１外に送出される。
【００２３】
図２及び図４に示すように、前記フィルタ１７のシール材１９は、剛性を有する合成樹脂製の芯材２４と、ウレタン等の柔軟弾性材よりなるシール部材２５とにより構成されている。芯材２４には、円板部２４ａと円筒部２４ｂとが一体に形成されている。シール部材２５は、芯材２４の円板部２４ａの一側面に接合形成されて、円筒部２４ｂを埋設している。そして、芯材２４は、シール部材２５の内周面側がエレメント１８側に変形したり、エレメント１８のシール部材２５の部分が変形しないよう保持している。
【００２４】
次に、前記フィルタ１７をハウジング１１内の所定位置に位置決めするための構成について説明する。
図２、図４及び図５に示すように、前記ハウジング本体１２の導出口１５と対応する側の端部内周面には、円環状のシール受け面２６が形成されている。そして、ハウジング本体１２内にフィルタ１７が組み付けられたときには、シール材１９のシール部材２５の外周面がこのシール受け面２６に圧接される。このとき、シール部材２５の芯材２４の外周側の部分が図４に鎖線で示す原形状態から実線で示す圧縮状態に弾性変形される。この変形により、フィルタ１７がその導出口１５側の端部外周において、ハウジング本体１２の内周に気密状態で保持されて、シール性が確保される。
【００２５】
図２、図４及び図５に示すように、前記ハウジング本体１２の端部内周面には、シール受け面２６に対して直角をなすように円環状の規制面２７が形成されている。そして、ハウジング本体１２に対するフィルタ１７の装着時には、シール材１９の外側面がこの規制面２７に当接されることにより、フィルタ１７が導出口１５側へ移動しないように位置規制される。
【００２６】
図２、図３及び図５に示すように、前記ハウジング本体１２の開口１２ａに対応して、そのハウジング本体１２の周壁内面には、複数の長片状の突部２８がハウジング本体１２の円周方向に相互間隔をおくとともに、エア流通方向に平行に延びるように形成されている。図２、図５及び図７に示すように、各突部２８の端部と規制面２７との間には、前記シール材１９を嵌合するための隙間Ｓ１が形成されている。そして、ハウジング本体１２に対するフィルタ１７の装着時には、ハウジング本体１２の開口１２ａが形成されていない側の周壁部分において、シール材１９がこの隙間Ｓ１に嵌合されることにより、フィルタ１７が導出口１５の反対側にも移動しないように位置規制される。それとともに、フィルタ１７のエレメント１８の外周面が各突部２８に当接されることにより、フィルタ１７が外周面側から支持される。
【００２７】
図１〜図３及び図６に示すように、前記蓋体１３の両側端縁及び導入口１４と対応する側の端部周縁には段差状の接合部２９，３０が突出形成されている。そして、蓋体１３がハウジング本体１２の開口１２ａに取り付けられたとき、これらの接合部２９，３０が開口１２ａの周縁に沿ってハウジング本体１２の周壁外面に接合されることにより、開口１２ａが閉塞される。
【００２８】
図２、図４及び図６に示すように、蓋体１３における導出口１５と対応する側の端部周縁にはフランジ３１が内側に向かって突設され、そのフランジ３１の外側面には規制面３１ａが形成されている。そして、ハウジング本体１２の開口１２ａに対する蓋体１３の取り付け時には、このフランジ３１の規制面３１ａがハウジング本体１２内の規制面２７に所定間隔をおいて対向配置される。この状態で、フィルタ１７上のシール材１９の側面がこの規制面３１ａに当接されることにより、ハウジング本体１２における開口１２ａの形成部分において、フィルタ１７が導出口１５の反対側へ移動しないように位置規制される。
【００２９】
図２〜図４及び図６に示すように、前記蓋体１３の内面にはそれぞれ複数のリブを有する複数のブロック状の突部３２が円周方向及び軸線方向に相互間隔をおいて形成されている。これらの突部３２のうちで、フランジ３１に近接して配置される一対の突部３２は、そのフランジ３１を補強するように、フランジ３１の内面と連接してフランジ３１と一体に形成されている。そして、ハウジング本体１２の開口１２ａに対する蓋体１３の取り付け時には、フィルタ１７のエレメント１８の外周面が各突部３２のリブに当接されることにより、フィルタ１７が外周面側から保持される。
【００３０】
図１、図２及び図５〜図８に示すように、前記ハウジング本体１２の開口１２ａの下端縁に対応して、ハウジング本体１２の導入口１４側の外周面には一対の係止突起３３が一体形成されている。両係止突起３３と係脱可能に対応するように、蓋体１３の両側接合部２９の端部には接合部２９の下端縁２９ａに連続する一対の係止フック３４が形成されている。各係止フック３４の開口端部には、この係止フック３４内に対する係止突起３３の進入を容易にするための傾斜面３４ａが形成されている。また、各係止フック３４の奥部にはカム作用により係止突起３３との係止を強固にするための円弧状の圧接面３４ｂが形成されている。そして、ハウジング本体１２の開口１２ａに蓋体１３が取り付けられたとき、これらの係止フック３４が各係止突起３３に係合されることにより、蓋体１３が導入口１４と対応する側の端部においてハウジング本体１２に係止保持される。
【００３１】
図１及び図３〜図５に示すように、前記蓋体１３における導出口１５と対応する側の端部外面には一対の支持部３５が突出形成され、それらの支持部３５にはクランプ部材３６が支軸３７により回動可能に支持されている。各クランプ部材３６と係脱可能に対応するように、ハウジング本体１２の外周面には一対の被掛止部３８が突出形成されている。そして、ハウジング本体１２の開口１２ａに蓋体１３が取り付けられた状態で、各クランプ部材３６が被掛止部３８に掛止めされてクランプされることにより、蓋体１３が導出口１５と対応する側の端部においてハウジング本体１２に閉鎖状態で、かつロック状態で保持される。
【００３２】
次に、前記のように構成されたエアクリーナにおいて、ハウジング１１内のフィルタ１７の脱着交換に際して、ハウジング本体１２内にフィルタ１７を装着する場合の作用を説明する。
【００３３】
さて、このフィルタ１７の装着時には、図７に示すように、フィルタ１７をハウジング本体１２の開口１２ａからハウジング本体１２内に挿入して導出口１５側に移動させる。このようにすると、図２に示すように、開口１２ａと反対側においてシール材１９がハウジング本体１２内の突部２８と規制面２７との間の隙間Ｓ１に嵌合される。それとともに、フィルタ１７のシール材１９の外周面がハウジング本体１２のシール受け面２６に圧接される。また、フィルタ１７のエレメント１８の外周面がハウジング本体１２内の突部２８に当接されて、フィルタ１７が外周面側から支持される。
【００３４】
この状態で、ハウジング本体１２の開口１２ａに蓋体１３を取り付ける。この蓋体１３の取付時には、図８（ａ）に示すように、蓋体１３の係止フック３４とハウジング本体１２の係止突起３３との係合可能な位置で、蓋体１３を開口１２ａの部分におけるハウジング本体１２上に載置する。すると、図８（ｂ）に示すように、蓋体１３の両側接合部２９の下端縁２９ａがハウジング本体１２上の両係止突起３３に当接可能な位置に対向される。その後、蓋体１３をハウジング本体１２の導出口１５側に移動させると、図８（ｃ）に示すように、蓋体１３側の各係止フック３４がハウジング本体１２上の各係止突起３３に係合される。この係合により、蓋体１３が導入口１４と対応する側の端部においてハウジング本体１２に対して係止保持される。
【００３５】
そして、この蓋体１３の取り付けに際して、蓋体１３が導出口１５側に移動されたとき、図２及び図４に示すように、蓋体１３上のフランジ３１の規制面３１ａがフィルタ１７のシール材１９の側面に当接される。このため、ハウジング本体１２において開口１２ａが形成されている図２における上半部分では、シール材１９がハウジング本体１２の規制面２７と蓋体１３の規制面３１ａとの間に挟持される。
【００３６】
従って、ハウジング本体１２の開口１２ａが形成されていない図２における下半部分において、シール材１９がハウジング本体１２内の突部２８と規制面２７との間の隙間Ｓ１に嵌合されていることと相まって、フィルタ１７をハウジング本体１２内の所定位置に正確に位置決め保持することができる。
【００３７】
その後、蓋体１３側の各クランプ部材３６をハウジング本体１２側の各被掛止部３８に係合させれば、蓋体１３が導出口１５と対応する側の端部においてハウジング本体１２にクランプされる。この状態では、蓋体１３が導入口１４側及び導出口１５側においてロック状態で保持されるため、ハウジング本体１２の開口１２ａが蓋体１３によって閉鎖状態に保持される。
【００３８】
そして、この状態においては、シール材１９とシール受け面２６との間のシール性が確保されている。このため、内燃機関の運転にともない、導入口１４からエアが導入されて、フィルタ１７のエレメント１８により適切に濾過され、濾過後のエアが導出口１５から内燃機関に吸引される。
【００３９】
フィルタ１７のエレメント１８にダストが堆積して、エレメント１８の清掃または交換が必要な場合は、前述したフィルタ１７の装着順序と逆の順序でフィルタ１７がハウジング１１内から取り出される。
【００４０】
この実施形態においては、以下の効果を得ることができる。
（１）  この実施形態のエアクリーナにおいては、ハウジング１１内のフィルタ１７を脱着交換する場合、ハウジング本体１２の開口１２ａ上の蓋体１３を取り外せば、ダクトが接続されたハウジング本体１２を動かすことなく開口１２ａを開放させることができる。従って、その開口１２ａを通してフィルタ１７の脱着作業を容易に行うことができる。
【００４１】
（２）  ハウジング本体１２内にフィルタ１７を取り付けて、ハウジング本体１２の開口１２ａを蓋体１３により閉鎖した状態では、フィルタ１７上のシール材１９の外周面がハウジング本体１２内のシール受け面２６に圧接されるとともに、シール材１９の両側面がハウジング本体１２及び蓋体１３内の規制面２７，３１ａに当接して位置規制される。よって、エレメント１８に、それを変形させる外力が作用することなくフィルタ１７をハウジング１１内の所定位置に気密状態で正確に位置決め保持することができる。従って、フィルタ１７は高い濾過機能を発揮することができる。
【００４２】
（３）  前記ハウジング本体１２内の規制面２７と突部２８との間に、シール材１９を嵌合するための隙間Ｓ１が形成されているため、この隙間Ｓ１にシール材１９を嵌合させることにより、ハウジング本体１２の開口１２ａが形成されていない側の周壁部分においても、フィルタ１７をハウジング１１に対して位置規制することができる。
【００４３】
（４）  フィルタ１７の両端部には、その両端通気口１８ａ，１８ｂを塞ぐような部材が存在していないため、エアの通過面積が減少したり、エアの流れに乱れが生じたりすることを抑制することができる。従って、この点においても、フィルタ１７は高い濾過機能を発揮することができる。
【００４４】
（５）  ハウジング本体１２及び蓋体１３の内面に、フィルタ１７のエレメント１８の外周面を支持するための突部２８，３２が設けられているため、これらの突部２８，３２により、フィルタ１７を外周面側からもハウジング１１内の所定位置に安定して保持することができる。
【００４５】
（６）  前記蓋体１３のフランジ３１が突部３２と連接して一体に形成されているため、フランジ３１を突部３２によって補強することができる。
（７）  シール材１９が剛性を有する芯材２４と、その芯材２４によって内周面側を保持された柔軟弾性材よりなるシール部材２５とにより構成されている。このため、ハウジング１１に対するフィルタ１７の取付状態で、シール部材２５の内周面側が弾性変形することを芯材２４によって抑制することができる。従って、フィルタ１７のエレメント１８が押圧変形されるのを防止することができて、高い濾過機能を維持できるばかりでなく、シール部材２５がエレメント１８側に逃げてしまうことを防止できて、高いシール性を維持できる。
【００４６】
（８）  ハウジング本体１２の開口１２ａがフィルタ１７とは別体の蓋体１３によって閉鎖されるため、フィルタに蓋体を取付ける必要がなく、安価なフィルタを用いて、メンテナンス等の費用負担を低減できる。
【００４７】
（変更例）
なお、この実施形態は、次のように変更して具体化することも可能である。
・  前記実施形態においては、フィルタ１７のエレメント１８が円筒状に形成されているが、このエレメント１８を楕円筒状やほぼ四角筒状等の他の筒形状にしてもよい。
【００４８】
・  前記実施形態においては、ハウジング本体１２の開口１２ａに蓋体１３が着脱可能に、つまり蓋体１３がハウジング本体１２に対して分離されて設けられているが、この蓋体１３をハウジング本体１２に回動可能に取付けて、開口１２ａに開閉するようにしてもよい。
【図面の簡単な説明】
【００４９】
【図１】一実施形態のエアクリーナを示す斜視図。
【図２】図１のエアクリーナの拡大縦断面図。
【図３】図２の３−３線における断面図。
【図４】図３の４−４線における部分拡大断面図。
【図５】図１のエアクリーナのハウジング本体を示す斜視図。
【図６】同エアクリーナの蓋体を示す斜視図。
【図７】同エアクリーナのハウジング本体、フィルタ及び蓋体を分解して示す断面図。
【図８】（ａ）〜（ｃ）はハウジング本体に蓋体を係止する過程を順に示す部分正面図。
【符号の説明】
【００５０】
１１…ハウジング、１２…ハウジング本体、１２ａ…開口、１３…蓋体、１４…導入口、１５…導出口、１７…フィルタ、１８…エレメント、１８ａ…第１通気口、１８ｂ…第２通気口、１９…シール材、２４…芯材、２５…シール部材、２６…シール受け面、２７…規制面、２８…突部、３１…フランジ、３１ａ…規制面、３２…突部、Ｓ１…隙間。
【図１】
2008261239.tif 000003
【図２】
2008261239.tif 000004
【図３】
2008261239.tif 000005
【図４】
2008261239.tif 000006
【図５】
2008261239.tif 000007
【図６】
2008261239.tif 000008
【図７】
2008261239.tif 000009
【図８】
2008261239.tif 000010